(57)【要約】　　　（修正有）【課題】チャネル環境、伝送のタイプ、ハンドオーバ状況、パケットの重要度などの条件を考慮した差別的な送信電力を再分配することによって、システムの性能を向上させる装置及び方法を提供する。【解決手段】制御部４１０は、前記決定された符号率及び変調方式によってチャネル別またはＵＥ別に符号化及び変調部４２０、４３０を制御する。前記符号化及び変調部４２０、４３０は、前記ＵＥ別に伝送しようとするデータを受信し、前記データを前記符号率によって符号化した後、前記変調方式によって変調を遂行する。前記符号化及び変調部４２０、４３０から出力されるＵＥ別の変調シンボルアレイは、逆多重化部４４０によって割り当てられたチャネル別に分配される。【選択図】　図４
2004040758.tif 000002
【特許請求の範囲】
【請求項１】
ノードＢから前記ノードＢによって占有される領域内に位置するＵＥに高速パケットデータを伝送する符号分割多重接続移動通信システムで、前記領域は、複数のチャネル環境領域に分割され、それぞれのチャネル環境領域は、上部臨界値及び下部臨界値を有し、前記それぞれのチャネル環境領域は、前記高速パケットデータを同一の変調方式及び同一の符号率で受信する複数のＵＥを含み、前記ノードＢから前記それぞれのチャネル環境領域内の前記複数のＵＥに前記高速パケットデータを伝送するための電力分配方法において、
前記それぞれのチャネル環境領域の前記上部臨界値に近接したチャネル環境を有するＵＥに高速パケットデータを伝送する第１電力を剰余電力だけ低下する過程と、
前記それぞれのチャネル環境領域の前記下部臨界値に近接したチャネル環境を有するＵＥに高速パケットデータを伝送する第２電力を前記剰余電力だけ補償する過程と、
を含むことを特徴とする方法。
【請求項２】
前記剰余電力は、前記第１電力から、前記ＵＥの属するチャネル環境領域内の平均的なチャネル環境を維持するために要求される第３電力を除いた電力であることを特徴とする請求項１記載の方法。
【請求項３】
前記チャネル環境領域は、変調及び符号化レベルであることを特徴とする請求項記載の方法。
【請求項４】
初期伝送される高速パケットデータの伝送電力を前記剰余電力によって補償することを特徴とする請求項１記載の方法。
【請求項５】
ハンドオーバー領域に位置するＵＥに伝送される高速パケットデータの伝送電力を前記剰余電力によって補償することを特徴とする請求項１記載の方法。
【請求項６】
前記高速パケットデータの重要度が相対的に高い時、前記高速パケットデータの伝送電力を前記剰余電力によって補償することを特徴とする請求項１記載の方法。
【請求項７】
ノードＢから前記ノードＢによって占有される領域内に位置するＵＥに高速パケットデータを伝送する符号分割多重接続移動通信システムで、前記領域は、複数のチャネル環境領域に分割され、それぞれのチャネル環境領域は、上部及び下部臨界値を有し、前記それぞれのチャネル環境領域は、前記高速パケットデータを同一の変調方式及び同一の符号率で受信する複数のＵＥを含み、前記ノードＢから前記それぞれのチャネル環境領域内の前記複数のＵＥに前記高速パケットデータを伝送するための電力分配装置において、
前記それぞれのチャネル環境領域の前記上部臨界値に近接したチャネル環境を有するＵＥに高速パケットデータを伝送する第１電力を剰余電力だけ低下し、前記それぞれのチャネル環境領域の前記下部臨界値に近接したチャネル環境を有するＵＥに高速パケットデータを伝送する第２電力を前記剰余電力だけ補償するための利得補償値を発生する電力分配部と、
前記ＵＥに前記高速パケットデータを伝送するためのチャネルに対応する信号を、対応する利得補償値によって補償する少なくとも１つの利得補償部と、
を含むことを特徴とする装置。
【請求項８】
前記剰余電力は、前記第１電力から、前記ＵＥの属するチャネル環境領域内の平均的なチャネル環境を維持するために要求される第３電力を除いた電力であることを特徴とする請求項７記載の装置。
【請求項９】
前記チャネル環境領域は、変調及び符号化レベルであることを特徴とする請求項７記載の装置。
【請求項１０】
前記電力分配部は、初期伝送される高速パケットデータの伝送電力を前記剰余電力によって補償することを特徴とする請求項７記載の装置。
【請求項１１】
前記電力分配部は、ハンドオーバー領域に位置するＵＥに伝送される高速パケットデータの伝送電力を前記剰余電力によって補償することを特徴とする請求項７記載の装置。
【請求項１２】
前記電力分配部は、前記高速パケットデータの重要度が相対的に高い時、前記高速パケットデータの伝送電力を前記剰余電力によって補償することを特徴とする請求項７記載の装置。
【発明の詳細な説明】
【０００１】
【発明の属する技術分野】
本発明は、符号分割多重接続移動通信システムにおける高速パケット伝送のための装置及び方法に関し、特に、高速パケット伝送時の差別的な電力分配のための装置及び方法に関する。
【０００２】
【従来の技術】
高速パケット伝送のためのチャネルは、他のチャネルと同様に、独立性を維持するためにチャネル分類コード（Ｃｈａｎｎｅｌｉｚａｔｉｏｎ　ｃｏｄｅ：　以下、チャネル化コードと称する）を使用する。しかしながら、使用されるチャネル化コードのうち高速パケット伝送のためのチャネルによって使用されるチャネル化コードは、他のコードより短いコード、つまり拡散率（Ｓｐｒｅａｄｉｎｇ　Ｆａｃｔｏｒ）が小さいコード（例えば、ＳＦが３２以下）である。一方、高速パケット伝送のためには、変調（ｍｏｄｕｌａｔｉｏｎ）方式としてシステム全般のデータ伝送速度を向上させるために高次変調方式（ｈｉｇｈ　ｏｒｄｅｒ　ｍｏｄｕｌａｔｉｏｎ）を使用する。従って、固定された変調方式を使用する２世代無線通信システムとは異なるリンク適応技法（Ｌｉｎｋ　Ａｄａｐｔａｔｉｏｎ　ｔｅｃｈｎｉｑｕｅ）を使用する。
【０００３】
一般的に、移動通信システムは、より効率的に無線資源を使用するために電力制御（Ｐｏｗｅｒ　Ｃｏｎｔｒｏｌ）技術を使用する。特に、第２世代または第３世代移動通信システムは、高速電力制御技術を使用する。高速パケット伝送のための移動通信システムは、固定された符号率及び変調方式を使用する２世代移動通信システムとは異なって効率的な無線資源の割り当てのために適応変調／符号化技法（Ａｄａｐｔｉｖｅ　Ｍｏｄｕｌａｔｉｏｎ　ａｎｄ　Ｃｏｄｉｎｇ　Ｓｃｈｅｍｅ：　以下、ＡＭＣＳと称する）を使用する。
【０００４】
電力制御技術は、同一のノードＢから全ての移動端末（Ｕｓｅｒ　Ｅｑｕｉｐｍｅｎｔ：　以下、ＵＥと称する）が均等のサービスを受けることができるようにＵＥの送信電力またはノードＢの送信電力を制御する技術である。つまり、前記電力制御は、悪いチャネル状況を有するＵＥが相対的に良好なチャネル状況を有するＵＥによって使用される送信電力より高い送信電力を使用することを可能にすることによって、全てのＵＥから送信される信号が一定の電力レベルでノードＢに受信されることができる。前記ノードＢは、それぞれのＵＥのチャネル状況を考慮して信号の送信電力を決定することによって、全てのＵＥが一定の電力で信号を受信することを可能にする。この場合、前記チャネル状況は、前記ノードＢとそれぞれのＵＥとの間の距離に依存する。例えば、チャネル状況が悪いＵＥは、ノードＢから遠い距離に位置するＵＥであり、前記相対的にチャネル状況が良いＵＥは、ノードＢに隣接したＵＥである。
【０００５】
次に、ＡＭＣＳは、ダウンリンク状態の変化によってＵＥの符号率及び変調方式を変更する技術である。前記ＡＭＣＳにおいて、それぞれのＵＥは、ダウンリンク状態を周期的に検査し、前記検査結果から決定されたチャネル品質情報（Ｃｈａｎｎｅｌ　Ｑｕａｌｉｔｙ　Ｉｎｆｏｒｍａｔｉｏｎ：　以下、ＣＱＩと称する）をノードＢに通報する。前記ノードＢは、前記ＣＱＩを通して対応するＵＥに対するダウンリンク状態を予測し、前記予測したダウンリンク状態に基づいて対応するＵＥに対する適した符号率及び変調方式を指定する。前記符号率及び変調方式の指定は、通常、変調及び符号化（Ｍｏｄｕｌａｔｉｏｎ　ａｎｄ　Ｃｏｄｉｎｇ　Ｓｃｈｅｍｅ：　以下、ＭＣＳと）レベルによって遂行されるが、前記ＭＣＳレベルは、前記ＣＱＩによって決定される。高速パケット伝送に対しては、現在ＨＳＤＰＡ（Ｈｉｇｈ　Ｓｐｅｅｄ　Ｄｏｗｎｌｉｎｋ　Ｐａｃｋｅｔ　Ａｃｃｅｓｓ）及び１Ｘ−ＥＶＤＶが提案されている。前記ＨＳＤＰＡ及び前記１Ｘ−ＥＶＤＶにおいて、前記ＡＭＣＳのための変調方式としては、ＱＰＳＫ、８ＰＳＫ、１６ＱＡＭ及び６４ＱＡＭが論議され、符号率（ｃｏｄｉｎｇ　ｒａｔｅ）としては１／２及び３／４が考慮される。従って、前記ＡＭＣＳを使用するシステムにおいて、ノードＢに隣接したＵＥのように良好な品質のチャネルを使用するＵＥに対しては高次変調方式（１６ＱＡＭ、６４ＱＡＭ）及び高い符号率３／４を適用する。しかしながら、セル間の境界地点にあるＵＥのように不良の品質のチャネルを使用するＵＥに対しては低次変調方式（８ＰＳＫ、ＱＰＳＫ）及び低い符号１／２を適用する。
【０００６】
前述した２つの技術、つまり電力制御及びＡＭＣＳは、移動通信システムに独立的に適用される。
【０００７】
図２は、高速パケット伝送のためにＡＭＣＳを適用した通常の送信装置の構成を示すブロック図である。
【０００８】
図２を参照すると、制御部２１０は、それぞれのＵＥからダウンリンク状態に関する情報を受信し、前記情報に基づいてそれぞれのＵＥに対する変調方式及び符号率を決定することで、前記決定された変調方式及び符号率によって対応するＵＥに伝送されるデータの符号化及び変調を可能にする。つまり、前記制御部２１０は、ダウンリンク状態が良いほど、高次の変調方式及び高い符号率を割り当て、相対的にダウンリンク状態が悪いほど、低次の変調方式及び低い符号率を割り当てる。符号化及び変調部２２０、２３０は、対応する使用者データを受信し、前記制御部２１０によって決定された符号率及び変調方式によって前記使用者データを符号化及び変調し、ＵＥ別の変調シンボルアレイを出力する。前記ＵＥ別の変調シンボルアレイは、逆多重化部（ＤＥＭＵＸ）２４０に入力される。前記逆多重化部２４０は、前記制御部２１０の制御によって、前記変調シンボルアレイを使用しようとするチャネルの数に対応して分配する。つまり、前記逆多重化部２４０は、それぞれのＵＥに割り当てられたコードの数によって前記符号化及び変調部２２０、２３０の出力を分離する。図２において、Ｍ個のＵＥによる変調シンボルアレイをｎ個のチャネルに分配する構成を示す。この場合、チャネルの数を示すｎがＵＥまたは使用者の数を示すＭより大きいか、それとも同一であることが望ましい。前記チャネルによって分離された変調シンボルアレイは、対応する拡散器２５０−１、２５０−２、…、２５０−ｎに入力され、前記拡散器２５０−１、２５０−２、…、２５０−ｎに対応するチャネル化コードに拡散される。前記それぞれのＵＥへのコード割り当ては、上位スケジューラまたはコード割り当て制御部（図示せず）の決定によって遂行される。前記Ｎ個のチャネル化コードＷ１乃至Ｗｎによって拡散された信号は、加算器２６０において加算されて１つの信号アレイとして出力される。前記加算器２６０から出力された１つの信号アレイは、電力利得部２７０において使用できるサイズの電力に利得補償されて出力される。従って、従来の送信装置において、それぞれのチャネルに対して同一の利得を補償することによって均等に電力が分配される。
【０００９】
前述したＡＭＣＳ技法を適用する場合、ＭＣＳレベルによって割り当てられる電力の大きさが異なる。以下、この大きさの差を、ＵＥのＭＣＳレベルによって指定される符号率及び変調方式の一例を示す図３を参照して説明する。この場合、前記ＭＣＳレベルは、４段階に区分される。
【００１０】
図３を参照すると、各ＭＣＳレベルは、チャネル環境に対応する所定の割り当て範囲を有し、前記割り当て範囲を指定するためには、上部臨界点及び下部臨界点が要求される。例えば、図３の参照番号３０１は、６４ＱＡＭの変調方式及び３／４の符号率が適用されるＭＣＳレベルの上部臨界点を示し、参照番号３０３は、前記ＭＣＳレベルの下部臨界点を示す（実は、６４ＱＡＭが最高の高次変調方式である場合は、上部臨界点を考慮する必要はない）。勿論、図３に示す１６ＱＡＭの変調方式及び３／４の符号率が適用されるＭＣＳレベルを考慮する場合は、前記参照番号３０３が前記ＭＣＳレベルの上部臨界点を示す。
【００１１】
各ＭＣＳレベルが特定の変調方式及び符号率を有するので、特定のＵＥに適用される変調方式及び符号率は、ＭＣＳレベルによって指定される。つまり、高次変調方式及び高い符号率に対応するほどＭＣＳレベルは高く、低次変調方式及び低い符号率に対応するほどＭＣＳレベルは低い。ＭＣＳレベルは、チャネル環境、つまり信号対雑音比（Ｓｉｇｎａｌ　ｔｏ　Ｎｏｉｓｅ　Ｒａｔｉｏ：　以下、ＳＮＲと称する）によって決定される。従って、前記ＭＣＳレベルのうち最上部ＭＣＳレベルに対応する最高次変調方式及び最高の符号率を適用するためには、最良のチャネル環境、つまり最良のＳＮＲが要求される。図３において、６４ＱＡＭの変調方式及び３／４の符号率が適用されるＵＥ１（３１０）及びＵＥ２（３２０）の場合、最良のＳＮＲが要求される。つまり、各ＭＣＳレベルの要求条件を満足させることのできるＵＥに対して、各ＭＣＳレベルに対応する変調方式及び符号率が適用される。前記ＭＣＳレベルが決定されると、前記決定されたＭＣＳレベルによって電力が割り当てられる。従って、同一のＭＣＳレベルとして決定されたＵＥ（または、チャネル）に対しては、要求電力量が異なるとしても、同一の大きさの電力が割り当てられる。この場合、高速パケット伝送のためにＵＥに割り当てできる電力は、ノードＢによって使用できる総電力から音声サービスのための電力を除いた残りの電力である。前記割り当てられた電力は、チャネル環境を調節するためのパラメータとして使用される。つまり、任意のチャネルに割り当てられた電力を増加させることによって、前記任意のチャネルに対応するチャネル環境を改善することができ、任意のチャネルに割り当てられた電力を減少させることによって、前記任意のチャネルに対応するチャネル環境を低下することができる。
【００１２】
前述したようにＡＭＣＳを適用するのにおいて、各ＵＥに対するＭＣＳレベルは、チャネル環境によって決定される。現在論議中のＨＳＤＰＡの場合、ＭＣＳレベルは、最小４段階から最大８段階に区分される。チャネル環境によって変調方式及び符号率が異なるＡＭＣＳ技法は、固定された時間で１つのチャネル化コードが割り当てられる時に最適に適用されることができる。しかしながら、前記説明したＡＭＣＳ技法が使用される高速パケット伝送システムは、同時に多数のＵＥに対するサービスを支援するために符号分割及び時分割を両方とも使用する。これは、１つのチャネル化コードでなく複数のチャネル化コードが割り当てできることを意味する。前記割り当てできるチャネル化コードの数は、同時に接続できるＵＥの数を決定するのに大事な役割をする。これは、同時に多数のＵＥが異なるチャネル化コードを通してパケットを受信することができることを意味する。この場合、固定された時間で１つのＵＥに対して１つまたはそれ以上のチャネル化コードが割り当てられることができる。前述したように、固定された時間で複数のチャネル化コードが割り当てられる場合、前記ＡＭＣＳは資源を効率的に使用することができない。つまり、それぞれの異なるチャネル化コード及びチャネル環境に対応してＭＣＳレベルが決定されるが、限定されたＭＣＳレベルのためで最適のチャネル環境を適用することができない。
【００１３】
より具体的に説明すると、各ＭＣＳレベルは、上部臨界点及び下部臨界点を有し、前記２つの臨界点間のチャネル環境を有するＵＥには同一のＭＣＳレベルが与えられる。従って、相対的にチャネル環境の差の大きいＵＥ（図３のＵＥ１及びＵＥ２）であっても、同一のＭＣＳレベルが与えられることができ、相対的にチャネル環境の差の小さいＵＥ（図３のＵＥ２及びＵＥ３）であっても、異なるＭＣＳレベルが与えられることができる。例えば、図３を参照すると、下部臨界点３０３をわずかに超過するチャネル環境を有するＵＥ２（３２０）及び上部臨界点３０１に近接したチャネル環境を有するＵＥ１（３１０）は、チャネル環境がかなり相違なるが、同一のＭＣＳレベルが与えられる。しかしながら、図３において、下部臨界点３０３をわずかに超過するチャネル環境を有するＵＥ２（３２０）及び前記下部臨界点３０３に近接したチャネル環境を有するＵＥ３（３３０）は、前記チャネル環境が近接しているが、異なるＭＣＳレベルが与えられる。従って、前記ＵＥ１（３１０）と同一のＭＣＳレベルが与えられた前記ＵＥ２（３２０）は、前記ＵＥ１（３１０）に比べてエラー発生確率が相対的に高いので、前記ＵＥ２（３２０）は再伝送を要求する確率が高くなる。さらに、前記ＵＥ３（３３０）に比べて高いＭＣＳレベルが与えられた前記ＵＥ２（３２０）は、前記ＵＥ３（３３０）に比べてエラーが発生する確率が相対的に高い。
【００１４】
ＡＭＣＳを使用する従来の送信装置において、前述したように、各ＭＣＳレベルが広すぎる範囲を有するので、非常に相違なるチャネル環境を有するＵＥに同一の電力が割り当てられることによって、伝送効率が低下する問題点が発生する。さらに、チャネル環境の差がわずかであるＵＥに異なるＭＣＳレベルが提供される可能性がある。この問題点は、ＭＣＳレベルが与えられたＵＥに割り当てられた電力を調整することによって解決することができる。つまり、必要な電力より大きい電力が割り当てられたＵＥの剰余電力を、前記割り当てられた電力によって与えられた対応するＭＣＳレベルによって要求されるサービスのためには不足な電力を有するＵＥに再分配することによって、この問題点を解決する。
【００１５】
【発明が解決しようとする課題】
このような問題点を解決するための本発明の目的は、相対的に良好なチャネル環境を有するＵＥの電力を、相対的に悪いチャネル環境を有するＵＥに再分配することのできる装置及び方法を提供することにある。
【００１６】
本発明の他の目的は、高速パケット伝送システムにおいて、必要によって差別的に電力を分配する装置及び方法を提供することにある。
【００１７】
本発明のまた他の目的は、適応変調／符号化技法を適用するのにおいて、諸条件を考慮した差別的な電力分配を遂行する装置及び方法を提供することにある。
【００１８】
本発明のまた他の目的は、適応変調／符号化技法を適用するのにおいて、チャネル環境、伝送のタイプ、ハンドオーバー状態、パケットの重要度、及び差等品質管理などの条件を考慮した差別的な電力分配を遂行する装置及び方法を提供することにある。
【００１９】
本発明のまた他の目的は、適応変調／符号化技法を適用すると同時に、差別的な電力分配を遂行する装置及び方法を提供することにある。
【００２０】
本発明のまた他の目的は、適応変調／符号化技法を適用するのにおいて、変調及び符号化レベルによって区分されたＵＥに差別的に電力分配を遂行する装置及び方法を提供することにある。
【００２１】
【課題を解決するための手段】
前述したような目的を達成するために、本発明は、ノードＢから前記ノードＢによって占有される領域内に位置するＵＥに高速パケットデータを伝送する符号分割多重接続移動通信システムで、前記領域は、複数のチャネル環境領域に分割され、それぞれのチャネル環境領域は、上部臨界値及び下部臨界値を有し、前記それぞれのチャネル環境領域は、前記高速パケットデータを同一の変調方式及び同一の符号率で受信する複数のＵＥを含み、前記ノードＢから前記それぞれのチャネル環境領域内の前記複数のＵＥに前記高速パケットデータを伝送するための電力分配方法において、前記それぞれのチャネル環境領域の前記上部臨界値に近接したチャネル環境を有するＵＥに高速パケットデータを伝送する第１電力を剰余電力だけ低下する過程と、前記それぞれのチャネル環境領域の前記下部臨界値に近接したチャネル環境を有するＵＥに高速パケットデータを伝送する第２電力を前記剰余電力だけ補償する過程と、を含む。
【００２２】
本発明の他の特徴によると、ノードＢから前記ノードＢによって占有される領域内に位置するＵＥに高速パケットデータを伝送する符号分割多重接続移動通信システムで、前記領域は、複数のチャネル環境領域に分割され、それぞれのチャネル環境領域は、上部及び下部臨界値を有し、前記それぞれのチャネル環境領域は、前記高速パケットデータを同一の変調方式及び同一の符号率で受信する複数のＵＥを含み、前記ノードＢから前記それぞれのチャネル環境領域内の前記複数のＵＥに前記高速パケットデータを伝送するための電力分配装置において、前記それぞれのチャネル環境領域の前記上部臨界値に近接したチャネル環境を有するＵＥに高速パケットデータを伝送する第１電力を剰余電力だけ低下し、前記それぞれのチャネル環境領域の前記下部臨界値に近接したチャネル環境を有するＵＥに高速パケットデータを伝送する第２電力を前記剰余電力だけ補償するための利得補償値を発生する電力分配部と、前記ＵＥに前記高速パケットデータを伝送するためのチャネルに対応する信号を、対応する利得補償値によって補償する利得補償部と、を含む。
【００２３】
【発明の実施の形態】
本発明は、ＡＭＣＳとともに電力分配（Ｐｏｗｅｒ　Ｄｉｓｔｒｉｂｕｔｉｏｎ）を適用する方法及び装置を提供する。前記電力分配は、本発明によって提案されるチャネル環境を含む諸条件による差別的な電力割り当てを意味し、既存の電力制御とは完全に異なる。
【００２４】
本発明による方法及び装置において、ＡＭＣＳと共に電力分配ができる理由は、図１に示すように、高速パケット伝送のためには時分割及び符号分割が同時に遂行されることができるからである。つまり、同時に使用できる送信器の電力は限定されていても、チャネル化コードまたはＵＥの諸条件を考慮して、前記限定された電力をチャネル化コードまたはＵＥ別に不均衡に割り当てることができる。
【００２５】
前記電力分配のために考慮される諸条件としては、チャネル環境、再伝送状況、ハンドオーバー状況、パケットの重要度、及び差等サービス品質管理などがある。“チャネル環境（ｃｈａｎｎｅｌ　ｃｏｎｄｉｔｉｏｎ）”は、ノードＢと各ＵＥとの間に割り当てられたチャネルの状態を意味し、“再伝送状況”は、複合再伝送技法（ＨＡＲＱ）を適用する時にエラーの発生による再伝送を遂行するか否かのことを示す。“ハンドオーバー（ｈａｎｄｏｖｅｒ）状況”は、対応するＵＥがセルの境界地点に位置することによって他のセルへの移動が必要であるか否かのことを意味し、“パケットの重要度（ｐｒｉｏｒｉｔｙ　ｏｆ　ｐａｃｋｅｔ）”は、伝送されるパケットのそれぞれの重要度を意味する。最後に、“差等サービス品質管理（ｄｉｆｆｅｒｅｎｔｉａｔｅｄ　ｓｅｒｖｉｃｅ　ｑｕａｌｉｔｙ　ｃｏｎｔｒｏｌ）”は、ＵＥに提供される高速パケットサービスに対する差別化した品質管理を意味する。
【００２６】
以下、前述した諸条件に関連して電力分配の必要性に関して詳細に説明する。
【００２７】
チャネル環境を考慮した電力分配
ＡＭＣＳを適用する場合、各チャネルのＭＣＳレベルはチャネル環境によって決定される。現在論議中のＨＳＤＰＡの場合、前記ＭＣＳレベルは、最小４段階から最大８段階に区分される。図３は、変調方式及び符号率の組み合せに基づいて区分されるＭＣＳレベルの例を示す。各ＭＣＳレベルが高くなると、高次変調方式（１６ＱＡＭまたは６４ＱＡＭ）及び高次の符号率が適用される。
【００２８】
各ＭＣＳレベルは、下部臨界点及び上部臨界点を有する所定の割り当て範囲を有する。前記２つの臨界点の間のチャネル環境を有するＵＥまたはチャネルには同一のＭＣＳレベルが与えられる。従って、下部臨界点をわずかに超過するＵＥは、上部臨界点に近接したチャネル環境を有するＵＥに比べてエラーが発生する確率が相対的に高いので、再伝送を要求する確率も高い。この場合、相対的に良好なチャネル環境を有するＵＥの剰余電力が相対的に悪いチャネル環境を有するＵＥに割り当てできることによって、全体的なシステムの通信品質を向上することができる。さらに、前記チャネル環境間のわずかの差のためで、類似したチャネル環境を有するＵＥに異なるＭＣＳレベルが与えられる可能性がある。結果的に、高いＭＣＳレベルが与えられたＵＥは、低いＭＣＳレベルが与えられたＵＥよりエラーが発生する確率が相対的に高い。この場合、ＭＣＳレベルの上部臨界点に近接したチャネル環境を有するＵＥ（相対的に良好なチャネル環境を有するＵＥ）の電力の一部を、同一のＭＣＳレベルまたは異なるＭＣＳレベルが提供されたＵＥに再分配することによって、全般的なシステムの通信品質を向上させることができる。結論的に、前記電力分配は、ＡＭＣＳにおいてＭＣＳレベルが広い範囲を有する場合、細かい電力調節の不可能を補償し、ＵＥに対する細かい電力調節を可能にする。つまり、各ＭＣＳレベルの上部臨界点に近接したＵＥまたはチャネルの余裕電力を前記ＭＣＳレベルの下部臨界点に近接したＵＥまたはチャネルに割り当てることによって、細かい電力調節を実現することができる。
【００２９】
初期伝送及び再伝送を考慮した電力分配
現在データパケットを受信しているＵＥは、初期伝送ＵＥと再伝送ＵＥに分類することができる。初期に伝送されたデータパケットにエラーが発生した場合、前記エラーパケットを補償するためにデータパケットの再伝送が要求される。この場合、再伝送による伝送成功率は、初めに伝送されたパケットと再伝送されたパケットの組み合せ（ｃｏｍｂｉｎｉｎｇ）によって、初期伝送の成功率より相対的に高い。さらに、初期伝送及び再伝送に重要度または加重値を与えることによって、初期伝送及び再伝送に割り当てられる電力を制御することができる。
【００３０】
ハンドオーバーを考慮した電力分配
ＵＥのハンドオーバー（ｈａｎｄｏｖｅｒ）状況を考慮して電力が割り当てられることができる。ハンドオーバーは、現在接続されたノードＢの電界強度が隣接したノードＢの電界強度より相対的に低い時に発生する現象である。前述したようにハンドオーバー状況にあるＵＥは、サービスノードＢから伝送されるデータパケットを受信した後、ハンドオーバーを遂行することが望ましい。従って、ハンドオーバー領域に位置するＵＥには、ハンドオーバー領域に位置しないＵＥに比べて相対的に高い電力が割り当てられる。これは、予め伝送されたデータパケットに対してデータパケットの再伝送を要求する確率を低減することによって、データパケットの受信が完了した後にハンドオーバーを遂行することを可能にする。特に、再伝送状況においてハンドオーバーが要求される時には、前述したような電力割り当てがより多く要求される。その理由は、再伝送が要求される状況においてハンドオーバーを遂行するために、移動しようとするノードＢが、対応するＵＥの情報だけでなく再伝送に関連した情報も知っているべきであるからである。
【００３１】
パケットの重要度を考慮した電力分配
パケットの重要度によって電力を分配することができる。現在論議されている３世代高速パケット伝送システムは、急速に発展している。その発展された技術は、ＢＥＲ（Ｂｉｔ　Ｅｒｒｏｒ　Ｒａｔｅ）、ＦＥＲ（Ｆｒａｍｅ　Ｅｒｒｏｒ　Ｒａｔｅ）及び作業処理量（Ｔｈｒｏｕｇｈｐｕｔ）の面における向上のために、ビットまたはシンボルの重要度（ｐｒｉｏｒｉｔｙ）を考慮する技術を注目している。この理由は、データの重要度が常に同一でないからである。例えば、雑音環境において誤差（ｅｒｒｏｒ）を補償するために、情報ビット（ｓｙｓｔｅｍａｔｉｃ　ｂｉｔ）に追加して剰余ビット（ｐａｒｉｔｙ　ｂｉｔ）を発生して伝送するチャネルエンコーダ（ｃｈａｎｎｅｌ　ｅｎｃｏｄｅｒ）において、剰余ビットより情報ビットの重要度が高いことは当然である。さらに、情報ビットの受信を可能にする制御ビット（ｃｏｎｔｒｏｌ　ｂｉｔ）は、重要度が相対的に高いと言える。このように区分されるビットは、同一のパケットにおいて伝送されることも、異なるパケットにおいて伝送されることもできる。この場合、各パケットに含まれている情報の重要度を考慮して電力を不均衡に分配することができる。例えば、ノードＢが２つのＵＥに同時にパケットを伝送する時、１つのパケットを通しては一番目のＵＥの制御ビットまたは情報ビットのみを伝送し、他のパケットを通しては二番目のＵＥの剰余ビットのみを伝送することができ、それによって、一番目のＵＥのチャネルに相対的に大きい電力を割り当てることができる。
【００３２】
差別化されたサービス品質を考慮した電力分配
差別化されたサービス品質管理も考慮されることができる。現在全てのＵＥは、前記サービスの重要度または品質を考慮しない。しかしながら、ＵＥは、サービスのタイプによって異なる重要度または品質を有するべきである。つまり、高速パケット無線パケットシステムは、多様な段階の品質のサービスを提供すべきである。現在の有線通信または無線通信の緊急チャネル、例えば、韓国の緊急サービスチャネルである１１９チャネルのような緊急チャネルを差別化する必要がある。前述したような緊急チャネルを差別化された品質で管理することが当然である。さらに、料金体系によって差別化された品質サービスを提供することができる。つまり、高級のサービスのために、高い料金を支払うＵＥに対しては相対的に高い電力を割り当てることができる。この不均衡な電力分配は、サービスの品質を容易に多様な段階に区分することを可能にする。
【００３３】
以下、本発明に従う好適な実施形態について添付図を参照しつつ詳細に説明する。下記の説明において、本発明の要旨のみを明確にする目的で、関連した公知機能または構成に関する具体的な説明は省略する。
【００３４】
図１は、時分割及び符号分割によって多数のＵＥが高速パケットデータサービスを受ける例を示し、５つのチャネル化コード及び３つのＵＥが時分割及び符号分割される方法を示す。
【００３５】
図１において、各列は符号分割を示し、各行は時分割を示す。一番目の列（Ｔ０）において、ＵＥ１は、３つのチャネル化コード（ｃｏｄｅ　＃０、＃１、＃２）を使用し、ＵＥ２及びＵＥ３は、それぞれ１つのチャネル化コード（ｃｏｄｅ　＃４及びｃｏｄｅ　＃３）を使用する。二番目の列（Ｔ１）、三番目の列（Ｔ２）及び五番目の列（Ｔ４）において、ＵＥ１に対してはチャネル化コードを割り当てなく、ＵＥ２に対しては２つのチャネル化コード（ｃｏｄｅ　＃３、＃４）を割り当て、ＵＥ３に対しては３つのチャネル化コード（ｃｏｄｅ　＃０、＃１、＃２）を割り当てる。四番目の列（Ｔ３）及び六番目の列（Ｔ５）においては、ＵＥ１に対して割り当てできる全てのチャネル化コードが使用される。このように、時分割による同一の時間の間に、チャネル化コードを割り当てないか、１つまたは複数のチャネル化コードを各ＵＥに割り当てることができる。
【００３６】
以下、本発明の実施形態において、前記チャネル化コードまたはＵＥに与えられるＭＣＳレベルに対して電力を割り当て、次に、前記チャネル化コードまたはＵＥによって割り当てられた電力を再分配することに関して具体的に説明する。
【００３７】
図４は、本発明の実施形態による高速パケットデータサービスを提供する移動通信システムの送信装置を示すブロック図である。
【００３８】
図４を参照すると、制御部４１０は、現在高速パケットデータサービスを提供しているＵＥとのチャネル環境を測定し、前記ＵＥのチャネル環境によって各ＵＥにＭＣＳレベルを与える。前記チャネル環境は、ダウンリンクの状態を示し、ＵＥによって報告されるＣＱＩ情報によって、または、電力制御のためにＵＥ別に発生する電力制御命令を取合せることによって測定することができる。前記制御部４１０は、チャネル環境が良好であるほど高いＭＣＳレベルを与え、相対的にチャネル環境が悪いほど低いＭＣＳレベルを与える。チャネル別またはＵＥ別にＭＣＳレベルが与えられる時、チャネルまたはＵＥに対して使用される符号率及び変調方式が決定される。従って、前記制御部４１０は、前記決定された符号率及び変調方式によってチャネル別またはＵＥ別に符号化及び変調部４２０、４３０を制御する。前記符号化及び変調部４２０、４３０は、前記ＵＥ別に伝送しようとするデータを受信し、前記データを前記符号率によって符号化した後、前記変調方式によって変調を遂行する。前記符号化及び変調部４２０、４３０から出力されるＵＥ別の変調シンボルアレイは、逆多重化部４４０によって割り当てられたチャネル別に分配される。現在高速パケットデータサービスを提供しているＵＥの数と割り当てられたチャネルの数が同一である場合、前記多重化部４４０は不要になる。一方、前記逆多重化部４４０は、前記ＵＥの数と前記チャネルの数によって、前記制御部４１０によって制御される。前記チャネル別に分配された複数の変調シンボルアレイは、それぞれ対応する拡散器４５０−１、４５０−２、…４５０−ｎに入力される。前記拡散器４５０−１、４５０−２、…４５０−ｎは、割り当てられたチャネル化コードＷ１、Ｗ２、…、Ｗｎで前記変調シンボルを拡散して出力する。
【００３９】
電力分配部４６０は、高速パケットデータサービスのために使用できる全体電力の範囲内で各チャネル別に電力を分配する。前記電力分配部４６０は、前記チャネル別に電力を分配することにおいて、ＵＥ別の情報を参照する。この場合、前記ＵＥ別の情報は、前記制御部４１０によって与えられたＭＣＳレベル及び設定された諸条件を含む。まず、前記電力分配部４６０は、前記制御部４１０によって与えられたＭＣＳレベル別に各ＵＥに対する電力を割り当てる。つまり、前記電力分配部４６０は、高いＭＣＳレベルが与えられたＵＥに対して相対的に大きい電力を割り当て、低いＭＣＳレベルが与えられたＵＥに対しては、相対的に小さい電力を割り当て、同一のＭＣＳレベルが割り当てられたＵＥに対しては、同一の電力を割り当てる。その後、前記電力分配部４６０は、前記諸条件によって各ＵＥに割り当てられた電力を再分配する。つまり、剰余電力を有するＵＥの前記割り当てられた電力は、前記剰余電力の分だけ低減され、前記割り当てられた電力が足りないＵＥに対しては、前記剰余電力を追加に分配する。しかしながら、前記与えられたＭＣＳレベル別の各ＵＥに対する電力分配が予め以前の段階で遂行されている場合、前記電力分配部４６０は、前記諸条件による前記割り当てられた電力の再分配のみを遂行する。前記諸条件は、ダウンリンクチャネル状態、再伝送状態、ハンドオーバー状態、パケットの重要度、及び使用者の重要度などを含む。前記電力分配部４６０は、前記諸条件のうち１つまたは複数の条件を同時に満足することができる。この場合、前記電力分配部４６０が満足する１つまたは複数の条件は、サービス提供者（Ｓｅｒｖｉｃｅ　Ｐｒｏｖｉｄｅｒ）が決定することができる。従って、前記電力分配部４６０は、前記諸条件によって各ＵＥ別に電力を不均等に分配する。前記電力分配部４６０によって分配される電力は、ノードＢの送信装置における送信電力である。これに比べて、各ＵＥにおける送信電力は、ＵＥによって予測される電力である。従って、本発明による提案のようにノードＢが送信電力を分配するとしても、前記ＵＥが前記送信電力を予測することに対する難しさが大きくなることでないので、システムの性能を低下させる要素はない。前記諸条件による各ＵＥ別に電力を再分配する本発明の実施形態に関して、後で詳細に説明する。前記電力分配部４６０によって再分配された送信電力は、対応する利得補償部４７０−１乃至４７０−ｎに提供される。前記電力分配部４６０は、前記再分配された各チャネルの送信電力に対応して前記利得補償部４７０−１乃至４７０−ｎによって利得補償が遂行できるように、電力利得値を提供することができる。
【００４０】
前記利得補償部４７０−１乃至４７０−ｎは、前記電力分配部４６０によって提供される前記割り当てられた電力または電力利得値によって前記拡散器４５０−１乃至４５０−ｎからのチャネル信号に対する利得を補償して出力する。各チャネル別に利得が補償されたチャネル信号は、加算器４８０によって１つのチャネル信号として加算される。
【００４１】
以下、本発明の実施形態による諸条件によってノードＢの送信電力を再分配することに関して詳細に説明する。
【００４２】
第１に、各ＵＥに対するダウンリンクのチャネル環境による差別的な電力再分配は下記のように遂行される。理解を容易にするために、下記の説明において、１つのＵＥによって１つのチャネルが占有されると仮定して説明する。しかしながら、１つのＵＥによって複数のチャネルが占有されることができ、この場合、差別的な電力再分配はチャネル別に遂行されることができるのは自明である。
【００４３】
差別的な電力再分配のために、前記ノードＢは、各チャネルのチャネル環境を予測することのできる情報を各ＵＥから受信する必用がある。前記ダウンリンクのチャネル環境を予測する代表的な方法は、ＵＥから受信されるＣＩＲ（Ｃａｒｒｉｅｒｔｏ　Ｉｎｔｅｒｆｅｒｅｎｃｅ　Ｒａｔｉｏ）を利用する方法である。各ＵＥに対するＣＩＲによってノードＢがダウンリンクのチャネル環境を予測する方法は、公知の技術であるので、ここで具体的な説明は省略する。それぞれのチャネルに対して予測されたダウンリンクチャネルの状態データは、電力分配部４６０に提供される。従って、前記電力分配部４６０は、前記状態データによって前記各チャネルに対する電力再分配を遂行する。例えば、前記電力分配部４６０は、良好なチャネル環境を有するＵＥに割り当てられた電力の一部を相対的に悪いチャネル環境を有するＵＥに割り当てられた電力に追加に割り当てることによって、全てのＵＥの通信品質を向上させることができる。通常に、前記チャネル環境は、割り当てられた電力を増加させることによって改善されることができる。このために、同一のＭＣＳレベルが割り当てられているが、異なるチャネル環境を有するＵＥに対して電力を再分配することによって、同一のＭＣＳレベルが与えられたＵＥが類似したチャネル環境を有することができるようになる。前記チャネル分配部４６０は、前記与えられたＭＣＳレベルに対応して各ＵＥが適したチャネル環境を有しているか否かを判断し、適しないチャネル環境を有するＵＥには電力を再分配する。前記電力の再分配は、与えられたＭＣＳレベルによって要求されるチャネル環境の範囲内で相対的に良好なチャネル環境を有するＵＥの電力を低減することによって、前記ＵＥが前記対応するＭＣＳレベルにおける平均的なチャネル環境を有することができるようにする。
【００４４】
一方、前記ＵＥが対応するＭＣＳレベルにおける平均的なチャネル環境を有することができるように、与えられたＭＣＳレベルによって要求されるチャネル環境範囲内で相対的に悪いチャネル環境を有するＵＥの電力を増加させる。この場合、前記減少させる電力及び前記増加させる電力は、相互比例関係を有するべきである。例えば、図３を参照すると、ＵＥ１（３１０）及びＵＥ３（３３０）は、与えられたＭＣＳレベルにおいて相対的に良好なチャネル環境を有し、ＵＥ２（３２０）は、与えられたＭＣＳレベルにおいて相対的に悪いチャネル環境を有する。従って、前記ＵＥ１（３１０）、前記ＵＥ２（３２０）及び前記ＵＥ３（３３０）が各与えられたＭＣＳレベル内で平均的なチャネル環境を有することができるようにするためには、電力配分が必要である。つまり、前記ＵＥ１（３１０）及び前記ＵＥ３（３３０）に割り当てられた電力は、剰余電力の分だけ低減され、前記ＵＥ２（３２０）に割り当てられた電力は、要求電力の分だけ増加される。前記剰余電力は、現在前記ＵＥ１（３１０）及び前記ＵＥ３（３３０）のチャネル環境を与えられたＭＣＳレベル内における平均的なチャネル環境に低減させるために減少される電力を意味する。前記要求電力は、前記ＵＥ２（３２０）のチャネル環境を与えられたＭＣＳレベル内における平均的なチャネル環境に増加させるために追加されるべき電力を意味する。この場合、電力分配の結果として、全てのＵＥが必ず平均的なチャネル環境を有する必要はなく、同一のＭＣＳレベルが与えられたＵＥが類似したチャネル環境を有するようにすれば良い。
【００４５】
さらに、前記剰余電力及び前記要求電力が必ず一致する必要はない。前記剰余電力及び要求電力が決定されると、前記電力分配部４６０は、前記剰余電力及び要求電力によってそれぞれのチャネルに対する利得補償値を求め、前記利得補償値を利得補償部４７０−１乃至４７０−ｎに提供する。前記それぞれのチャネルに対する利得補償値は、相互異なる値であるので、各チャネル信号に対してはチャネル環境によって異なる電力が分配されることができる。
【００４６】
第２に、初期伝送と再伝送に区分される伝送形態による差別的な電力再分配は、下記のように遂行される。以下の説明において、初期伝送されたデータパケットにエラーが発生する場合、エラーデータパケットを補償するために再伝送が要求される。この場合、以下の説明に対する理解を容易にするために、前記再伝送時及び前記初期伝送時に同一のデータパケットが伝送されると仮定する。
【００４７】
再伝送の場合、各チャネル別に伝送されるデータが初期伝送データであるか、それとも再伝送データであるかをノードＢによって確認できる必要がある。各　チャネル別の伝送形態に関する情報は、電力分配部４６０に提供される。従って、前記電力分配部４６０は、前記伝送形態によって前記各チャネル別の電力に対する再分配を遂行する。例えば、前記電力分配部４６０は、再伝送データを伝送するチャネルに割り当てられた電力の一部を、初期伝送データを伝送するチャネルに割り当てられた電力に追加して分配する。つまり、前記初期伝送時のデータパケットが前記再伝送時のデータパケットに比べて相対的に良好なチャネル環境で伝送できるようになる。通常に、前記チャネル環境は、前記割り当てられた電力を増加させることによって改善されることができる。前述したように電力を再分配する理由は、受信側で前記再伝送されるデータパケットを予め伝送されたデータパケットと組み合せ（ｃｏｍｂｉｎｉｎｇ）ることによって、相対的に初期伝送時に比べて再伝送時の受信成功率が高いからである。
【００４８】
第３に、ハンドオーバー状態による差別的な電力再分配は、以下のように遂行される。以下説明されるハンドオーバーは、ＵＥが現在接続されたノードＢの電界強度が隣接したノードＢの電界強度より低い時に発生する。
【００４９】
再伝送の場合、ノードＢによって各ＵＥがハンドオーバー領域に位置するか否かが確認できる必要がある。前記各ＵＥのハンドオーバー状態は、各ＵＥからの報告によって確認できる。前記各ＵＥのハンドオーバー状態は、電力分配部４６０に提供される。次に、前記電力分配部４６０は、前記ハンドオーバー状態によって各チャネルに対する電力再分配を遂行する。例えば、前記電力分配部４６０は、ハンドオーバー領域に位置しないＵＥに割り当てられた電力の一部をハンドオーバー領域に位置するＵＥに割り当てられた電力に追加して割り当てる。つまり、前記追加割り当ては、前記ハンドオーバー領域に位置するＵＥへのデータパケットが前記ハンドオーバー領域に位置しないＵＥへのデータパケットに比べて、相対的に良好なチャネル環境で伝送できるようにする。前述したような電力再分配は、ＵＥが全てのデータパケッを受信した後にハンドオーバーされるハンドオーバー領域に位置するようにすることによって、前記データパケットの受信成功率を向上させる。
【００５０】
第４に、伝送パケットの重要度による差別的な電力再分配は、以下のように遂行される。
【００５１】
再伝送の場合、ノードＢは伝送されるデータパケットの重要度を予め知っている必要がある。以下説明する前記データパケットの重要度は、データパケットの種類によって区分されることができる。例えば、符号化された後に伝送されるデータは、情報ビット（ｓｙｓｔｅｍａｔｉｃ　ｂｉｔｓ）と剰余ビット（ｐａｒｉｔｙ　ｂｉｔｓ）に区分されることができる。前記情報ビットは、エラー訂正のための剰余ビットより相対的に重要度が高い。さらに、データを受信するために要求される制御情報（ｃｏｎｔｒｏｌ　ｉｎｆｏｒｍａｔｉｏｎ）は、前記データより相対的に高い重要度を有する。従って、前記電力分配部４６０は、低い重要度を有するデータパケットを伝送するチャネルに割り当てられた電力の一部を、相対的に高い重要度を有するデータパケットを伝送するチャネルに割り当てられた電力に追加して割り当てる。つまり、高い重要度を有するデータパケットが低い重要度を有するデータパケットに比べて相対的に良好なチャネル環境で伝送できるようになる。前述したような電力再分配は、相対的に高い重要度を有するデータパケットの受信成功率を向上させる。
【００５２】
第５に、サービスの差等品質またはＵＥの等級による差別的な電力再分配は、以下のように遂行される。
【００５３】
再伝送の場合、ノードＢがＵＥの等級及びＵＥまたはチャネルによってそれぞれ提供されるサービスの品質情報に関して知っているべきである。前記ＵＥの等級及びＵＥまたはチャネルによってそれぞれ提供されるサービスの品質情報は、電力再分配部４６０に提供される。次に、前記電力分配部４６０は、前記ＵＥの等級及び前記サービスの品質情報によって各チャネルに対して電力再分配を遂行する。例えば、前記電力分配部４６０は、低い等級または低い品質のサービスが提供されるＵＥに割り当てられた電力の一部を、相対的に高い等級または高い品質のサービスが提供されるＵＥに割り当てられた電力に追加して割り当てる。つまり、高い等級及び高いサービス品質を有するＵＥが、低い等級及び低いサービス品質を有するＵＥに比べて良好なチャネル環境を有することが可能になる。前述したような電力再分配は、高い等級または高いサービス品質に対して相対的に良好なチャネル環境が提供されるようにする。
【００５４】
ノードＢが高い等級または高いサービス品質が要求されるＵＥに追加に割り当てる電力を別に管理することによって、ＵＥが追加に電力を要求する場合に、前記別に管理される電力を追加してＵＥに再分配できるようになる。
【００５５】
前述したようなサービスの差等品質管理は、不均衡な電力分配だけでなく、スケジューラによって実現されることができる。前記スケジューラは、ノードＢから符号（ｃｏｄｅ）分割及び時（ｔｉｍｅ）分割によってサービスを受ける全てのＵＥによってデータ送信の順序を決定する。前記差等品質管理において、高級品質のサービスを受けるＵＥにより多くの機会を提供することによって、高速パケットまたは高品質のデータサービスが実現できるようになる。しかしながら、前記スケジューラが全てのＵＥに同一の機会を与える単純なスケジューラである場合、前記電力分配部４６０が前記差等品質管理を遂行する。
【００５６】
前述した諸条件のうち、前記再伝送状態、パケットの重要度、及びサービスの差等品質管理などは、物理階層の制御情報、または上位階層またはＭＡＣ（Ｍｅｄｉｕｍ　Ａｃｃｅｓｓ　Ｃｏｎｔｒｏｌ）階層からの情報によって判断されることができる。
【００５７】
図５は、本発明の一実施形態による電力再分配の手順を示すフローチャーチである。
【００５８】
図５を参照すると、５００段階で、各チャネルまたは各ＵＥへの差等的電力再分配が要求されるか否かを確認する。前記差等的電力再分配が要求されない場合、５４０段階で、現在データパケットを伝送している全てのチャネルまたはＵＥに対して与えられたＭＣＳレベルによって均等な電力を分配する。しかしながら、前記差等的電力再分配が要求されると、５１０段階で、差等的電力再分配のための諸条件のうち適用する少なくとも２つの条件を選択する。５２０段階で、前記選択された条件によって電力再分配を要求するＵＥまたはチャネルを検索する。前記電力再分配のためのＵＥまたはチャネルが決定されると、５３０段階で、前記選択された条件によって前記決定されたＵＥまたはチャネルに電力を再分配する。例えば、前記チャネル環境によって電力再分配を遂行すると、同一のＭＣＳレベルが与えられたＵＥのうち相対的に良好なチャネル環境を有するＵＥの余裕電力を、悪いチャネル環境を有するＵＥに割り当てられた電力に追加して割り当てることができる。さらに、異なるＭＣＳレベルが与えられたＵＥ間にも、上部臨界点に近接したチャネル環境（例えば、ＳＮＲまたはＣＩＲ）を有するＵＥの剰余電力は、下部臨界点に近接したチャネル環境を有するＵＥの電力に追加して割り当てられる。前記チャネル環境の以外にも他の諸条件に基づいて前記電力再分配を遂行することができる。また、前述した少なくとも２つの条件を組み合せた条件に基づいて電力再分配を遂行することもできる。
【００５９】
前述の如く、本発明の詳細な説明では具体的な実施形態を参照して詳細に説明してきたが、本発明の範囲は前記実施形態によって限られるべきではなく、本発明の範囲内で様々な変形が可能であるということは、当該技術分野における通常の知識を持つ者には明らかである。
【００６０】
【発明の効果】
前述してきたように、本発明は、限定された送信電力を諸条件を考慮して適切に分配することによって、システムの全般の性能を向上させることができる。さらに、本発明は、チャネル環境による差別的な電力分配が可能であり、それぞれパケットの伝送タイプ、ハンドオーバー状態、重要度などによる差別的な電力分配が可能である。また、本発明は、各使用者に対する差等的なサービス品質管理が可能である。
【図面の簡単な説明】
【図１】時間分割及び符号分割によって多数のＵＥが高速パケットデータサービスを受信する例を示す図である。
【図２】高速パケット伝送のために適応変調／符号化技法を適用した通常の送信装置を示すブロック図である。
【図３】適応変調／符号化技法を適用することによって、各ＵＥのチャネル環境によって変調及び符号化レベルが与えられる例を示す図である。
【図４】本発明の実施形態による高速パケットデータサービスを提供する移動通信システムの送信装置を示すブロック図である。
【図５】本発明の実施形態による電力再分配の手順を示すフローチャートである。
【符号の説明】
４１０　　制御部
４２０・４３０　　変調部
４４０　　逆多重化部
４５０　　拡散器
４６０　　電力分配部
４７０　　利得補償部
【図１】
2004040758.tif 000003
【図２】
2004040758.tif 000004
【図３】
2004040758.tif 000005
【図４】
2004040758.tif 000006
【図５】
2004040758.tif 000007
【外国語明細書】
2004040758.tif 000008
2004040758.tif 000009
2004040758.tif 000010
2004040758.tif 000011
2004040758.tif 000012
2004040758.tif 000013
2004040758.tif 000014
2004040758.tif 000015
2004040758.tif 000016
2004040758.tif 000017
2004040758.tif 000018
2004040758.tif 000019
2004040758.tif 000020
2004040758.tif 000021
2004040758.tif 000022
2004040758.tif 000023
2004040758.tif 000024
2004040758.tif 000025
2004040758.tif 000026
2004040758.tif 000027
2004040758.tif 000028
2004040758.tif 000029
2004040758.tif 000030
2004040758.tif 000031
2004040758.tif 000032
2004040758.tif 000033
2004040758.tif 000034
2004040758.tif 000035
2004040758.tif 000036
2004040758.tif 000037
2004040758.tif 000038
2004040758.tif 000039
2004040758.tif 000040